(57)【特許請求の範囲】
【請求項１】
槽体の底部に設けられた排水口と、
昇降運動によって排水口の開閉を行う弁体と、
弁体の昇降操作を行う操作部と、
上記操作部の少なくとも一部を収納するケーシングと、
から成る遠隔操作式排水栓装置において、
上記操作部は第一の操作部と、第二の操作部と、解除機構を備え、
上記第一の操作部は、第一の操作部の動作を第二の操作部へと伝達する動作伝達部を備え、
上記第二の操作部は、動作伝達部と係合し、第一の操作部の動作と連動する従動部を備え、
上記解除機構は、上記ケーシングを分解しなくとも動作伝達部と従動部との係合を解除可能なことを特徴とする遠隔操作式排水栓装置。
【請求項２】
上記第一の操作部又は第二の操作部の一方は、
電気信号に基づいて弁体の昇降操作を行う電動操作部であって、
他方の操作部は、
手動操作に基づいて弁体の昇降操作を行う手動操作部であることを特徴とする
請求項１に記載の遠隔操作式排水栓装置。
【請求項３】
上記第一の操作部及び第二の操作部は、
電気信号に基づいて弁体の昇降操作を行う電動操作部であることを特徴とする請求項１に記載の遠隔操作式排水栓装置。
【請求項４】
上記第一の操作部及び第二の操作部は、
手動操作に基づいて弁体の昇降操作を行う手動操作部であることを特徴とする請求項１に記載の遠隔操作式排水栓装置。
【請求項５】
上記解除機構は、手動による任意の操作によって動作伝達部と従動部との係合を解除することを特徴とする請求項１乃至請求項４のいずれか１つに記載の遠隔操作式排水栓装置。
【請求項６】
上記解除機構は、操作部が非操作状態にある時、
動作伝達部と従動部との係合を常に解除することを特徴とする請求項１乃至請求項４のいずれか１つに記載の遠隔操作式排水栓装置。
【発明の詳細な説明】
【技術分野】
【０００１】
本願発明は、洗面ボウルやシンク、浴槽等の槽体の底面に形成された排水口の開閉を行う弁体を遠隔的に操作する遠隔操作式排水栓装置に関するものである。
【背景技術】
【０００２】
特許文献１には、手動又は電動による操作によって弁体を操作し、槽体底部に形成された排水口の開閉を行う遠隔操作式排水栓装置が記載されている。
【０００３】
上記遠隔操作式排水栓装置は、手動操作部、電動駆動部を備えており、電動駆動部は駆動部としてのモータと、当該モータの回転運動を上下運動へと変換する動力変換部と、当該動力変換部によって変換された上下運動を手動操作部へと伝達する動力伝達部から構成されている。
【０００４】
上記手動操作部は手動操作ボタンへの押動操作に基づき、手動操作軸と連結されたレリースを介して弁体を上昇させるとともに、弁体の上昇状態をスラストロック機構により保持する。弁体を下降させる際には、再び手動操作ボタンを押動することによって、レリースを介してスラストロック機構による保持を解除する。
【０００５】
電動操作によって弁体を操作する際には、電動駆動部に電気信号を送り、モータを回転させるとともに、モータの回転運動を動力変換部によって変換し、動力伝達部を下降させる。動力伝達部は下降に伴い手動操作軸に配置された従動部材を押し下げ、レリースを介して弁体を上昇させるとともに、弁体の上昇状態をスラストロック機構により保持する。尚、動力伝達部は従動部材を押し下げた後、モータの回転によって自動的に元の位置に復帰する。弁体を下降させる際には、動力伝達部が再び従動部材を押し下げ、スラストロック機構による保持を解除する。この際にも、動力伝達部は従動部材を押し下げた後、モータの回転によって自動的に元の位置に復帰する。
【０００６】
即ち、上記遠隔操作式排水栓装置は、動力伝達部が従動部材を押し下げた後に元の位置に復帰することから、電動操作後であっても手動操作を行うことが可能となるとともに、電動駆動部が故障した際にも手動操作による排水口の開閉を可能としている。
【先行技術文献】
【特許文献】
【０００７】
【特許文献１】特許第３８８２１６５号
【発明の概要】
【発明が解決しようとする課題】
【０００８】
しかし、上記特許文献１に記載の遠隔操作式排水栓装置は、動力伝達部が従動部材を押し下げている途中で故障し、動作が停止してしまうと、手動操作軸と動力伝達部が干渉してしまうため手動操作も電動操作も行うことが不可能となってしまうという問題があった。
本願発明は上記問題に鑑み発明されたものであって、上記複数の操作部を有する遠隔操作式排水栓装置において、一方の操作部が故障しても、他方の操作部によって弁体の昇降操作が可能となる遠隔操作式排水栓の提供を目的とする。
【課題を解決するための手段】
【０００９】
請求項１に記載の本発明は、槽体の底部に設けられた排水口と、
昇降運動によって排水口の開閉を行う弁体と、
弁体の昇降操作を行う操作部と、
上記操作部の少なくとも一部を収納するケーシングと、
から成る遠隔操作式排水栓装置において、
上記操作部は第一の操作部と、第二の操作部と、解除機構を備え、
上記第一の操作部は、第一の操作部の動作を第二の操作部へと伝達する動作伝達部を備え、
上記第二の操作部は、動作伝達部と係合し、第一の操作部の動作と連動する従動部を備え、
上記解除機構は、上記ケーシングを分解しなくとも動作伝達部と従動部との係合を解除可能なことを特徴とする遠隔操作式排水栓装置である。
【００１０】
請求項２に記載の本発明は、上記第一の操作部又は第二の操作部の一方は、
電気信号に基づいて弁体の昇降操作を行う電動操作部であって、
他方の操作部は、
手動操作に基づいて弁体の昇降操作を行う手動操作部であることを特徴とする
請求項１に記載の遠隔操作式排水栓装置である。
【００１１】
請求項３に記載の本発明は、上記第一の操作部及び第二の操作部は、
電気信号に基づいて弁体の昇降操作を行う電動操作部であることを特徴とする請求項１に記載の遠隔操作式排水栓装置である。
【００１２】
請求項４に記載の本発明は、上記第一の操作部及び第二の操作部は、
手動操作に基づいて弁体の昇降操作を行う手動操作部であることを特徴とする請求項１に記載の遠隔操作式排水栓装置である。
【００１３】
請求項５に記載の本発明は、上記解除機構は、手動による任意の操作によって動作伝達部と従動部との係合を解除することを特徴とする請求項１乃至請求項４のいずれか１つに記載の遠隔操作式排水栓装置である。
【００１４】
尚、上記任意の操作とは、回動・押動・平行移動操作などあらゆる操作を含むものである。
【００１５】
請求項６に記載の本発明は、上記解除機構は、操作部が非操作状態にある時、
動作伝達部と従動部との係合を常に解除することを特徴とする請求項１乃至請求項４のいずれか１つに記載の遠隔操作式排水栓装置である。
【発明の効果】
【００１６】
請求項１乃至請求項４に記載の本発明によれば、第一の操作部が第二の操作部と干渉する位置において故障する等の異常が発生した際、解除機構によって動作伝達部と従動部の係合を解除することで第二の操作部を操作可能とすることが可能となる。
請求項５に記載の本発明によれば、手動操作によって確実に動作伝達部と従動部の係合を解除することが可能となる。
請求項６に記載の本発明によれば、操作部が非操作状態にある時、常に動作伝達部と従動部との係合が解除されていることから、どのタイミングで第一の操作部が故障したとしても、問題なく第二の操作部を操作することが可能となる。
【図面の簡単な説明】
【００１７】
【図１】遠隔操作式排水栓装置の施工状態を示す断面図である。
【図２】遠隔操作式排水栓装置の構成を示す参考図である。
【図３】操作部を示す断面図である。
【図４】図３のＡ−Ａ’断面図である。
【図５】電動操作部の部材構成を示す分解斜視図である。
【図６】手動操作部の操作によって弁体が上昇した状態を示す断面図である。
【図７】電動操作部の操作によって弁体が上昇した状態を示す断面図である。
【図８】解除機構の作動状態を示す断面図である。
【図９】破損防止機構の作動状態を示す断面図である。
【図１０】第二実施形態を示す断面図である。
【図１１】解除機構の作動状態を示す断面図である。
【図１２】第三実施形態を示す断面図である。
【図１３】動作伝達部及び解除機構を示す斜視図である。
【図１４】図１２のＡ−Ａ’断面図であって（a）電動操作部が非操作状態にある状態（ｂ）（a）より電動操作部が操作され、動作伝達部が従動部と係合している状態を示す断面図である。
【図１５】第四実施形態を示す断面図である。
【図１６】解除機構の作動状態を示す断面図である。
【図１７】第五実施形態を示す断面図である。
【発明を実施するための形態】
【００１８】
以下に、本発明の遠隔操作式排水栓装置を、図面を参照しつつ説明する。尚、以下に記載する説明は実施形態の理解を容易にするためのものであり、これによって発明が制限して理解されるものではない。又、以下の実施形態においては、特に断りの無い限り図１に示す施工状態を基準として上下左右及び部材同士の位置関係を説明する。
【００１９】
本実施形態に係る遠隔操作式排水栓装置は、図１及び図２に示すように、槽体Ｂに取り付けられ、排水栓１、レリースワイヤ３、弁体９、及び操作部１０から構成されている。
【００２０】
槽体Ｂは上方が開口された箱状の浴槽であって、浴室内において、洗い場に隣接して配置されている。又、槽体Ｂはその底面及び縁部に開口を有し、当該開口に排水栓１、操作部１０がそれぞれ取り付けられている。
【００２１】
排水栓１は軸方向に貫通孔を有する略円筒状の部材であって、外周に雄螺子が螺刻されており、上端において外側へ向けて鍔部が形成されている。又、排水栓１は内周に形成された凸部にワイヤ受け２が嵌合されていると共に、当該ワイヤ受け２には弁軸６が保持されている。尚、排水栓１は槽体Ｂの底面に取り付けられた際、軸方向に形成された貫通孔の上端側の開口が排水口として機能する。
【００２２】
レリースワイヤ３はアウターチューブ４及びインナーワイヤ５から成り、一端には弁軸６と連結されているとともに、他端には操作部１０のスラストロック機構３７と連結されており、操作部１０に加えられた操作を弁軸６へと伝達する。アウターチューブ４は側面方向に可撓性を有する樹脂製のチューブ体であって、内部には側面方向に可撓性を有する金属の撚り線であるインナーワイヤ５が摺動可能に配置されている。尚、レリースワイヤ３はスラストロック機構３７側端部において、インナーワイヤ５を常にスラストロック機構３７側へと付勢する戻りスプリングを有している。
【００２３】
弁軸６は外筒及び内筒から成る筒状体であって、外筒にはアウターチューブ４が、内筒にはインナーワイヤ５がそれぞれ連結されており、インナーワイヤ５がアウターチューブ４内を摺動することで内筒が外筒より突出可能に形成されている。又、弁軸６は内部にショックアブソーバーを有しており、弁体９の上昇時に弁体９に衝撃が加わった際、弁軸６やレリースワイヤ３、ワイヤ受け２の破損を防止する。
ここで、上記外筒はワイヤ受け２に保持されており、内筒は上端に弁体９が嵌合されている。従って、インナーワイヤ５の摺動に伴い、内筒が外筒から突出することによって、弁体９を昇降させることが可能となっている。
【００２４】
弁体９は外周面にパッキンが嵌着された蓋部材であり、図１に示すように、弁体９が下降している状態においては当該パッキンが排水栓１と当接することによって排水口を閉塞する。又、弁体９は裏面において上記内筒の先端が嵌合されている。
【００２５】
図３乃至図５に示すように、操作部１０は第一の操作部１４、第二の操作部３１、スラストロック機構３７から構成され、スラストロック機構３７の端部は上記レリースワイヤ３が接続されている。又、第一の操作部１４及び第二の操作部３１の一部の部材は、ケーシング１２の内部に収納され、フランジ１１によって槽体Ｂの縁部に固定されており、スラストロック機構３７はＣ字リングによってケーシング１２の下端に接続されている。又、操作部１０は、後述する動作伝達部２１と従動部３５との係合を解除する解除機構を備えている。
【００２６】
フランジ１１は円筒状であって上端に鍔部を有し、槽体Ｂの縁部に形成された開口に取り付けられており、下端にケーシング１２が接続されている。
【００２７】
ケーシング１２は手動操作部３２及び電動操作部１５の部材の一部を収納する箱状部材であって、槽体Ｂの縁部裏面に配置されているとともに、その背面において略扇形の収納部１３を有している。
【００２８】
第一の操作部１４は電気信号に基づいて弁体９の昇降操作を行う電動操作部１５であって、電動操作ボタン１６、駆動部１８、螺子筒２０、動作伝達部２１、ツマミ部２４より構成されているとともに、動作伝達部２１は破損防止機構を備えている。
【００２９】
電動操作ボタン１６は駆動部１８へと電気信号を送信するボタン部材であり、図２に示すように、脱衣所等の浴室の外側に配置されて駆動部１８の動作を制御する基盤１７に取り付けられている。
駆動部１８は電動操作ボタン１６の操作により送信された電気信号に基づいて駆動するモータであって、図３におけるケーシング１２の右下部分に配置されており、コードを介して電源（図示せず）、及び基盤１７と連結している。又、駆動部１８の出力軸１９は六角柱形状を成しており、螺子筒２０下端に挿入されている。
螺子筒２０は外周に雄螺子が形成された筒状であって、下端において出力軸１９の外径と略同一形状の孔を有しており、出力軸１９が挿入されている。
動作伝達部２１は一端が螺子筒２０に螺合されているとともに、支承部２３を介して他端に係合部２２が形成されている。係合部２２は平面視略Ｃ字状であって、従動部３５と係合している。尚、係合部２２は図３に示すように、駆動部１８の非駆動時（第一の操作部１４の非操作時）において、従動部３５とは干渉しない位置に配置されている。支承部２３は内部に破損防止機構が配置され、螺子筒２０と後述する手動操作部３２を架け渡すよう、手動操作部３２の手動操作軸３４へ向けて延設されている。尚、動作伝達部２１は螺子筒２０側端部がツマミ部２４によって覆われているため、ツマミ部２４のスリット２５に沿って上下方向にのみ動作可能となっており、その位置情報はセンサ２６によって検知されている。ツマミ部２４は円筒状であって上端が把持可能に形成されているとともに、側面にスリット２５が形成されている。尚、ツマミ部２４は動作伝達部２１の螺子筒２０側端部を上方より覆うとともに、スリット２５より支承部２３が突出するように配置されている。
破損防止機構は図４に示すように、平面視略六角形のナット状のカム部２８と、当該カム部２８の側面と当接する係止部２９、係止部２９をカム部２８へと付勢するスプリング３０から成る。カム部２８は内周に雌螺子が形成されており、螺子筒２０に螺合されている。当該カム部２８は動作伝達部２１の内部において回動自在に配置されているが、その側面において、スプリング３０によって付勢された係止部２９が当接しており、回転が抑制されている。
【００３０】
第二の操作部３１は手動による押動操作に基づいて弁体９の昇降操作を行う手動操作部３２であって、手動操作ボタン３３、手動操作軸３４、従動部３５から構成されている。
【００３１】
手動操作ボタン３３は使用者によって直接押動されて上下動する平面視略円形のボタン部材であって、その上面はフランジ１１の上面と面一となる位置に配置されている。
手動操作軸３４は手動操作ボタン３３裏面に嵌合されており、下端がスラストロック機構３７のロック軸３８と当接する位置まで延設されている。
従動部３５は鍔部３６を有する筒状であって、手動操作軸３４の中程に形成されている。又、従動部３５は動作伝達部２１の係合部２２内に配置されている。
【００３２】
スラストロック機構３７は内部に回転ギア及び固定ギアを備え、ロック軸３８が押動されることで下端に連結されたインナーワイヤ５を進退させて弁体９を上昇させるとともに、回転ギアと固定ギアの噛合によって当該弁体９の上昇状態を保持する機構である。尚、ロック軸３８が再び押動されると、回転ギアと固定ギアの噛合が解除に伴い、弁体９の上昇状態の保持が解除される。従って、スラストロック機構３７はロック軸３８が押動される毎に弁体９の上昇状態と下降状態を切り替えることができる。
【００３３】
解除機構はツマミ部２４の側面に形成されたスリット２５、ケーシング１２に形成された収納部１３によって形成されており、ツマミ部２４に回動操作を加えることで、動作伝達部２１と従動部３５との係合を解除することができる。
【００３４】
以下に、本発明の遠隔操作式排水栓装置の操作について説明する。
【００３５】
まず、手動操作部３２の動作について説明する。
図３に示す状態より手動操作ボタン３３に押動操作が加えられると、図６に示すように、手動操作ボタン３３及び手動操作軸３４が下降し、スラストロック機構３７のロック軸３８を押し下げる。当該ロック軸３８が押し下げられると、インナーワイヤ５がアウターチューブ４内部を弁体９側へと摺動し、弁体９を上昇させる。この時、スラストロック機構３７は回転ギアと固定ギアの噛合により弁体９の上昇状態、及び手動操作ボタン３３、手動操作軸３４、ロック軸３８の下降状態が保持される。従って、使用者は手動操作ボタン３３を目視することによっても弁体９の状態を判別することが可能となる。
使用者が再び手動操作ボタン３３に押動操作を加えると、ロック軸３８が再び押し下げられることによって弁体９の上昇状態の保持が解除され、弁体９の自重及び戻りスプリングによって弁体９が下降する。
【００３６】
次に、電動操作部１５の動作について説明する。
図７に示すように、電動操作ボタン１６が操作されると電気信号に基づいて駆動部１８が作動し、出力軸１９、及び出力軸１９が挿入された螺子筒２０が回転する。この時、カム部２８は螺子筒２０の回動に連動して回動しようとするが、係止部２９によって回転が抑制されているため回動不能となっている。同様に、動作伝達部２１はツマミ部２４のスリット２５によって回動不能となっている。従って、動作伝達部２１は螺子筒２０の回転と連動して下降し、係合部２２が従動部３５を押し下げることにより手動操作軸３４、手動操作ボタン３３、及びスラストロック機構３７のロック軸３８を押し下げる。そして、当該ロック軸３８が押し下げられると、インナーワイヤ５がアウターチューブ４内部を弁体９側へと摺動し、弁体９を上昇させるとともに、スラストロック機構３７によって弁体９の上昇状態が保持される。
尚、適宜位置まで動作伝達部２１が下降した時、センサ２６によって動作伝達部２１の位置情報が検知される。この時、駆動部１８は当該位置情報に基づき逆回転を行い、動作伝達部２１を図３に示す元の位置へと復帰させる。一方で、スラストロック機構３７は弁体９の上昇状態、及び手動操作ボタン３３、手動操作軸３４、ロック軸３８の下降状態が保持されるため、操作部１０は図６に示す状態となり、使用者は手動操作ボタン３３を目視することによっても弁体９の状態を判別することが可能となる。
使用者が再び電動操作ボタンを操作すると、駆動部１８が再び回転し、ロック軸３８が再び押し下げられることによって弁体９の上昇状態の保持が解除され、弁体９の自重及び戻りスプリングによって弁体９が下降する。又、動作伝達部２１は適宜位置まで下降した後に、駆動部１８が逆回転することによって元の位置に復帰する。
【００３７】
以上のように、電動駆動部１８は動作の都度動作伝達部２１が図３に示す元の位置へと復帰する構造であるため、手動操作部３２の操作後に電動操作部１５の操作を行うことが可能になる。
【００３８】
一方、故障により、図７のように動作伝達部２１が下降した状態で電動駆動部１８が動作を停止してしまった場合、動作伝達部２１と従動部３５が干渉し、従動部３５が所定の位置まで上昇することができないため、手動操作部３２の操作が不可能となってしまう。当該場合においては、以下の操作を行うことによって再び手動操作部３２の操作を可能とすることができる。
【００３９】
まず、槽体Ｂのエプロン（図示せず）を取り外し、ケーシング１２を浴室内に露出させる。
次に、ケーシング１２上面より露出しているツマミ部２４を把持し、回動させる。この時、ツマミ部２４は当該回動よってスリット２５による開口位置が周方向に変位するため、スリット２５より突出している動作伝達部２１はツマミ部２４の回動に連動し、図８に示すように、ケーシング１２背面に形成された断面視略三角形状の収納部１３へと収納される。これにより、動作伝達部２１と従動部３５の係合が解除される。
上記のように動作伝達部２１と従動部３５の係合が解除されている時、手動操作部３２と電動操作部１５は非干渉状態となる。従って、従動部３５は所定の位置まで上昇することが可能となり、使用者は手動操作部３２によって、再び弁体９の昇降操作を行うことが可能となる。
尚、故障の原因が解消された際には、ツマミ部２４を再び回動させることによって、動作伝達部２１と従動部３５を係合させ、電動操作部１５を通常通り使用することができる。
【００４０】
又、螺子筒２０の雄螺子と動作伝達部２１の雌螺子との間に砂噛みが生じた場合には、破損防止機構が作動する。詳述すると、上記砂等の噛み込みが生じた場合、動作伝達部２１が螺子筒２０の回動に伴い回動しようとする、所謂供回りが生じる。一方、本発明においては、上記砂等の噛み込みが生じた際、螺子筒２０の回転に伴いカム部２８が供回りすることにより、カム部２８は係止部２９に対し、スプリング３０を収縮させる方向へと応力を付与する。そして、当該カム部２８からの応力がスプリング３０による応力を上回った時、カム部２８は係止部２９を手動操作軸３４側へと押圧し、図９に示すように空回りする。従って、螺子筒２０の回転は動作伝達部２１の支承部２３や手動操作軸３４には伝達されず、動作伝達部２１の破損を防止することが可能となる。
尚、砂噛みが解消された際には、係止部２９がスプリング３０の応力によって再びカム部２８に当接し、動作伝達部２１はスリット２５に沿って上下動可能となる。
【００４１】
上記本発明の遠隔操作式排水栓装置においては、動作伝達部２１が下降し、従動部３５の動作と干渉する領域にある状態で電動操作部１５が故障したとしても、解除機構によって動作伝達部２１と従動部３５の係合を解除することが可能である。従って、第一の操作部１４と第二の操作部３１を有する遠隔操作式排水栓装置において、第一の操作部１４が故障した場合であっても、操作部を分解することなく第二の操作部３１を操作可能にすることができる。
【００４２】
本発明の第一実施形態は以上であるが、本発明は上記第一実施形態の形状に限定されるものではなく、発明の要旨を逸脱しない範囲において種々の変更を行うことが可能である。例えば、上記第一実施形態においては、ツマミ部２４に回動操作を加えることにより動作伝達部２１と係合部２２の係合を解除していたが、押動操作により当該係合を解除しても良く、ツマミ部２４等の操作により、動作伝達部２１を破壊する等して係合を解除しても良い。又、ツマミ部２４をスライド移動させることによって係合を解除しても良い。尚、ここにいうスライド移動とは、ツマミ部２４を水平・垂直等平行移動させることを指す。
【００４３】
又、上記第一実施形態においては、動作伝達部２１を移動させることによって従動部３５との係合を解除していたが、図１０及び図１１に示す第二実施形態のように、解除機構によって従動部３５を移動させることによって動作伝達部２１と従動部３５との係合を解除しても良い。尚、以降記載する実施形態において、上記第一実施形態と同一の構成については、特に断りの無い限り、第一実施形態と同一の番号を付してその記載を省略する。
【００４４】
図１０に示す第二実施形態は、手動操作軸３４によって解除機構が構成されている。当該第二実施形態に係る手動操作軸３４は中程において屈曲しているとともに、手動により回動可能となっている。従って、砂噛みや故障により、動作伝達部２１が下降した状態で電動駆動部１８が動作を停止してしまった場合には、使用者は手動操作ボタン３３を取り外し、手動操作軸３４を直接回動させることによって、図１１に示すように、従動部３５が係合部２２より離間し、動作伝達部２１と従動部３５の係合が解除される構造となっている。
【００４５】
又、上記第一実施形態においては、手動操作に基づいて動作伝達部２１と従動部３５の係合を解除していたが、図１２乃至図１４に示す第三実施形態のように、解除機構によって、操作部１０が非操作状態にある時、動作伝達部２１と従動部３５との係合が自動的に解除される構造であっても良い。
【００４６】
図１２及び図１３に示すように、第三実施形態に係る遠隔操作式排水栓装置は、動作伝達部２１を収納部１３へ向けて付勢する解除スプリング３９を有している。図１４（ａ）に示すように、当該解除スプリング３９によって、第三実施形態に係る遠隔操作式排水栓装置の電動操作部１５が非操作状態にある時、解除スプリング３９の付勢によって動作伝達部２１が常に収納部１３へと収納されている。
当該第三実施形態において電動操作部１５に操作が加えられると、図１４（ｂ）に示すように、駆動部１８の回転によって動作伝達部２１が解除スプリング３９を収縮させながら回動し、従動部３５と係合する。当該係合位置において、動作伝達部２１はそれ以上の回動が不可能となるが、駆動部１８の駆動に伴い螺子筒２０は回転を続けているため、当該螺子筒２０の回転によって動作伝達部２１は下降し、従動部３５と係合するとともに、従動部３５を押し下げて弁体９を上昇させる。その後、センサ２６によって動作伝達部２１の位置情報が検知され、第一実施形態と同様に、駆動部１８の逆回転によって動作伝達部２１は元の位置へと復帰する。
上記第三実施形態において、動作伝達部２１が停止している、又は上昇している際においては、動作伝達部２１は解除スプリング３９を収縮させる方向に回転しない。従って、動作伝達部２１は解除スプリング３９により再び収納部１３内へと収納され、図１４（ａ）に示す状態となる。即ち、上記第三実施形態においては、操作部１０（電動操作部１５）が非操作状態にある時、自動的に動作伝達部２１が収納部１３内に収納されるため、どのようなタイミングで第一の操作部１４が故障したとしても、常に第二の操作部３１が操作可能となる。
【００４７】
又、第一の操作部１４及び第二の操作部３１が共に手動操作部３２であっても良い。図１５及び図１６に示す第四実施形態においては、第一の操作部１４を操作する手動操作ボタン３３が槽体Ｂの側面に形成されたエプロン部に配置されており、第二の操作部３１を操作する手動操作ボタン３３が槽体Ｂの縁部に配置されている。当該構造を採用することにより、介護用浴槽等に使用することが可能となる。尚、第四実施形態においては、図１６に示すように、上記第二実施形態と同様に手動操作軸３５を回動させることによって動作伝達部２１と従動部３５の係合を解除することができる。
【００４８】
又、上記第一実施形態は第一の操作部１４が電気信号に基づいて作動する電動操作部１５であり、第二の操作部３１が手動操作に基づいて作動する手動操作部３２であったのに対し、第一及び第二の操作部３１が共に電動操作部１５であっても良い。図１７に示す第五実施形態においては、第一の操作部１４を操作する電動操作ボタン１６（図示せず）が脱衣所等、浴室外に配置されると共に、第二の操作部３１を操作する電動操作ボタン１６（図示せず）が槽体Ｂの縁部に配置されることで、手動操作ボタンを押動することが困難な使用者であっても、浴室内外を問わず弁体９の昇降操作を行うことが可能となる。尚、第五実施形態においては、上記第一実施形態と同様に、ツマミ部２４を回動させることによって動作伝達部２１と従動部３５の係合を解除することができる。
【符号の説明】
【００４９】
１          排水栓
２          ワイヤ受け
３          レリースワイヤ
４          アウターチューブ
５          インナーワイヤ
６          弁軸
９          弁体
１０        操作部
１１        フランジ
１２        ケーシング
１３        収納部
１４        第一の操作部
１５        電動操作部
１６        電動操作ボタン
１７        基盤
１８        駆動部
１９        出力軸
２０        螺子筒
２１        動作伝達部
２２        係合部
２３        支承部
２４        ツマミ部
２５        スリット
２６        センサ
２８        カム部
２９        係止部
３０        スプリング
３１        第二の操作部
３２        手動操作部
３３        手動操作ボタン
３４        手動操作軸
３５        従動部
３６        鍔部
３７        スラストロック機構
３８        ロック軸
３９        解除スプリング
Ｂ          槽体
【図１】
0006682069.tif 000002
【図２】
0006682069.tif 000003
【図３】
0006682069.tif 000004
【図４】
0006682069.tif 000005
【図５】
0006682069.tif 000006
【図６】
0006682069.tif 000007
【図７】
0006682069.tif 000008
【図８】
0006682069.tif 000009
【図９】
0006682069.tif 000010
【図１０】
0006682069.tif 000011
【図１１】
0006682069.tif 000012
【図１２】
0006682069.tif 000013
【図１３】
0006682069.tif 000014
【図１４】
0006682069.tif 000015
【図１５】
0006682069.tif 000016
【図１６】
0006682069.tif 000017
【図１７】
0006682069.tif 000018